(57)【要約】【課題】ハウジングによってサブハウジングに組み付けられる端子の二重係止と端子の中途挿入を検知することができるコネクタを提供する。【解決手段】前後方向に貫通するサブコネクタ収容孔２２を有したハウジング２１と、前後方向に貫通するキャビティ６１を有し、キャビティ６１に電線６９を接続した端子６８を挿入した状態でハウジング２１のサブコネクタ収容孔２２に後方より挿入して組み付けられるサブコネクタ６０と、を備えたコネクタにおいて、サブコネクタ６０のキャビティ６１の内壁に端子６８に係止される可撓性のランス６２を形成し、端子６８のキャビティ６１への中途挿入の場合に、ランス６２がサブコネクタ６０の外側に突出してハウジング２１のサブコネクタ収容孔２２の開口外角縁２２ｂに突き当たるようにした。【選択図】図１７
2018067379.tif 000002
【特許請求の範囲】
【請求項１】
前後方向に貫通するサブコネクタ収容孔を有したハウジングと、前後方向に貫通するキャビティを有し、該キャビティに電線を接続した端子を挿入した状態で前記ハウジングのサブコネクタ収容孔に後方より挿入して組み付けられるサブコネクタと、を備えたコネクタにおいて、
前記サブコネクタの前記キャビティの内壁に前記端子に係止される可撓性のランスを形成し、前記端子の前記キャビティへの中途挿入の場合に、前記ランスが前記サブコネクタの外側に突出して前記ハウジングの前記サブコネクタ収容孔の開口外角縁に突き当たるようにしたことを特徴とするコネクタ。
【請求項２】
請求項１記載のコネクタであって、
前記端子の前記キャビティへの挿入完了時に、前記ランスの下面を前記サブコネクタ収容孔の内壁の面と同一面上に設定し、前記端子の前記キャビティへの中途挿入の場合に、前記ランスの下面を前記サブコネクタの外周面から外側へ突出させるようにしたことを特徴とするコネクタ。
【請求項３】
請求項１又は２記載のコネクタであって、
フード部を有する前記ハウジングとしての雄ハウジングと、前記雄ハウジングに支軸を介して回動自在に支持されたレバーと、前記フード部内にて雄端子のタブ部を位置決めするムービングプレートと、前記フード部内に嵌合・離脱される前記ハウジングとしての雌ハウジングを備え、
前記レバーに形成したカム溝に前記雌ハウジングに形成したカムフォロアを係合させた状態で前記レバーを往動操作させ、前記雌ハウジングを前記ムービングプレートと共に前記フード部内の奥側に移動させて前記雄ハウジングに嵌合自在にし、
前記フード部に前記レバーの仮係止用の溝部を形成し、前記溝部を前記ムービングプレートの移動時のガイドレールとしたことを特徴とするコネクタ。
【請求項４】
請求項１又は３記載のコネクタであって、
前記サブコネクタとしての雄サブコネクタの長さを前記雄端子の長さより長く設定したことを特徴とするコネクタ。
【請求項５】
請求項１又は３記載のコネクタであって、
前記雄ハウジングのサブコネクタ収容孔の内壁に前記サブコネクタとしての雄サブコネクタに係止される可撓性のロック部を形成し、前記ロック部の自由端側に前記レバーに係止・離脱自在にされて該レバーの往動操作を抑制する規制部を形成したことを特徴とするコネクタ。
【発明の詳細な説明】
【技術分野】
【０００１】
本発明は、レバーの往復動操作により雄雌両ハウジングが低挿入力で嵌合・離脱されるレバー式コネクタ等のコネクタに関する。
【背景技術】
【０００２】
この種のコネクタとして、特許文献１に開示されたものがある。
【０００３】
このコネクタ１は、図２２及び図２３に示すように、雄コネクタであり、フード部２ａ及び前後方向に貫通するサブハウジング収容室２ｂを有する雄ハウジング２と、この雄ハウジング２に図示しない支軸を介して回動自在に支持されたレバー３と、雄端子５を収容保持する複数のキャビティ４ａを有し、サブハウジング収容室２ｂに収容される雄サブハウジング４と、この雄サブハウジング４に形成されたリテーナ装着孔４ｂに挿入され、ランス４ｃと共に雄端子５を二重係止するリテーナ６と、レバー３のカム溝３ａに係合するカムフォロア７ａ及び雄端子５のタブ部５ａを位置決めする位置決め孔７ｂを有したムービングプレート７と、を備えている。
【０００４】
そして、レバー３のカム溝３ａとムービングプレート７のカムフォロア７ａとの係合によるカム作用によって、ムービングプレート７と図示しない雌コネクタが一体となって雄ハウジング２のフード部２ａ内の奥側へ引き込まれ、両コネクタが嵌合される。
【先行技術文献】
【特許文献】
【０００５】
【特許文献１】特開２００８−２７０１５２号公報
【発明の概要】
【発明が解決しようとする課題】
【０００６】
しかしながら、前記従来のコネクタ１では、図２３に示すように、雄サブハウジング４のキャビティ４ａに組み付けられる雄端子５の二重係止及び中途挿入検知をリテーナ６で行っているため、構成部品が多くなっており、その分コストが高くなっている。
【０００７】
そこで、本発明は、前記した課題を解決すべくなされたものであり、ハウジングによってサブハウジングに組み付けられる端子の二重係止と端子の中途挿入を検知することができるコネクタを提供することを目的とする。
【課題を解決するための手段】
【０００８】
請求項１の発明は、前後方向に貫通するサブコネクタ収容孔を有したハウジングと、前後方向に貫通するキャビティを有し、該キャビティに電線を接続した端子を挿入した状態で前記ハウジングのサブコネクタ収容孔に後方より挿入して組み付けられるサブコネクタと、を備えたコネクタにおいて、前記サブコネクタの前記キャビティの内壁に前記端子に係止される可撓性のランスを形成し、前記端子の前記キャビティへの中途挿入の場合に、前記ランスが前記サブコネクタの外側に突出して前記ハウジングの前記サブコネクタ収容孔の開口外角縁に突き当たるようにしたことを特徴とする。
【０００９】
請求項２の発明は、請求項１記載のコネクタであって、前記端子の前記キャビティへの挿入完了時に、前記ランスの下面を前記サブコネクタ収容孔の内壁の面と同一面上に設定し、前記端子の前記キャビティへの中途挿入の場合に、前記ランスの下面を前記サブコネクタの外周面から外側へ突出させるようにしたことを特徴とする。
【００１０】
請求項３の発明は、請求項１又は２記載のコネクタであって、フード部を有する前記ハウジングとしての雄ハウジングと、前記雄ハウジングに支軸を介して回動自在に支持されたレバーと、前記フード部内にて雄端子のタブ部を位置決めするムービングプレートと、前記フード部内に嵌合・離脱される前記ハウジングとしての雌ハウジングを備え、前記レバーに形成したカム溝に前記雌ハウジングに形成したカムフォロアを係合させた状態で前記レバーを往動操作させ、前記雌ハウジングを前記ムービングプレートと共に前記フード部内の奥側に移動させて前記雄ハウジングに嵌合自在にし、前記フード部に前記レバーの仮係止用の溝部を形成し、前記溝部を前記ムービングプレートの移動時のガイドレールとしたことを特徴とする。
【００１１】
請求項４の発明は、請求項１又は３記載のコネクタであって、前記サブコネクタとしての雄サブコネクタの長さを前記雄端子の長さより長く設定したことを特徴とする。
【００１２】
請求項５の発明は、請求項１又は３記載のコネクタであって、前記雄ハウジングのサブコネクタ収容孔の内壁に前記サブコネクタとしての雄サブコネクタに係止される可撓性のロック部を形成し、前記ロック部の自由端側に前記レバーに係止・離脱自在にされて該レバーの往動操作を抑制する規制部を形成したことを特徴とする。
【発明の効果】
【００１３】
以上説明したように、請求項１の発明によれば、サブコネクタのキャビティの内壁に端子に係止される可撓性のランスを形成し、端子のキャビティへの中途挿入の場合に、ランスがサブコネクタの外側に突出してハウジングのサブコネクタ収容孔の開口外角縁に突き当たるようにしたことにより、ハウジングによってサブハウジングに組み付けられる端子の二重係止と端子の中途挿入を検知することができる。これにより、従来のリテーナのような端子を二重係止する別部品が不要となるため、その分部品点数を減らして低コスト化を図ることができる。
【００１４】
請求項２の発明によれば、端子のキャビティへの挿入完了時に、ランスの下面をサブコネクタ収容孔の内壁の面と同一面上に設定し、端子のキャビティへの中途挿入の場合に、ランスの下面をサブコネクタの外周面から外側へ突出させるようにしたことにより、ハウジングによってサブハウジングに組み付けられる端子の二重係止と端子の中途挿入を簡単かつ確実に検知することができる。
【００１５】
請求項３の発明によれば、フード部にレバーの仮係止用の溝部を形成し、溝部をムービングプレートの移動時のガイドレールとしたことにより、レバーの仮係止用の溝部をムービングプレートの装着時及びレバーの操作時におけるムービングプレートのガイドレールとして利用することができるため、レバー式コネクタの小型化とムービングプレートの組み付け性及びレバーによるムービングプレートの操作性を向上させることができる。
【００１６】
請求項４の発明によれば、サブコネクタとしての雄サブコネクタの長さを雄端子の長さより長く設定したことにより、雄ハウジングのフード部内に雌ハウジングが斜めやこじりを発生させる方向に入ったとしても、端子よりも先に雄サブコネクタの先端が雌サブコネクタの先端に達するため、こじりの発生を抑制することができる。また、雄、雌ハウジングの嵌合の際に雄サブコネクタが雌ハウジングのガイドとなるため、コストを抑えてこじり抑止機能とガイド機能をもたせることができる。
【００１７】
請求項５の発明によれば、雄ハウジングのサブコネクタ収容孔の内壁にサブコネクタとしての雄サブコネクタに係止される可撓性のロック部を形成し、ロック部の自由端側にレバーに係止・離脱自在にされて該レバーの往動操作を抑制する規制部を形成したことにより、雄ハウジングのサブコネクタ収容孔に雄サブコネクタが中途挿入状態の場合に、ロック部の規制部によりレバーの動きを抑制することができる。これにより、部品を追加することなく、雄サブコネクタの半嵌合状態とコネクタ誤嵌合を簡単かつ確実に検知することができる。
【図面の簡単な説明】
【００１８】
【図１】本発明の一実施形態のコネクタの嵌合前の斜視図である。
【図２】上記コネクタの雄コネクタの分解斜視図である。
【図３】上記コネクタの雌コネクタの分解斜視図である。
【図４】上記雄コネクタのハウジングの斜視図である。
【図５】上記雄コネクタのレバーの斜視図である。
【図６】上記雄コネクタのムービングプレートの斜視図である。
【図７】（ａ）は上記レバーを組み付けた雄コネクタの斜視図、（ｂ）は同雄コネクタの要部の断面図である。
【図８】（ａ）は上記ムービングプレートを組み付ける前の雄コネクタの側面図、（ｂ）は同ムービングプレートを組み付けたレバー仮係止位置の雄コネクタの側面図である。
【図９】上記ムービングプレートの移動前の雄コネクタの斜視図である。
【図１０】上記ムービングプレートが移動中の雄コネクタの斜視図である。
【図１１】（ａ）はサブコネクタの要部を断面で示す斜視図、（ｂ）は同サブコネクタの要部の拡大断面図である。
【図１２】（ａ）は上記雄コネクタのハウジングの背面図、（ｂ）は同要部の部分斜視図である。
【図１３】上記サブコネクタのキャビティに端子を収容保持した状態を示す断面図である。
【図１４】上記ハウジングのサブコネクタ収容孔にサブコネクタをロック部で係止した状態を示す断面図である。
【図１５】上記サブコネクタ収容孔に挿入したサブコネクタをランスで係止した状態を示す断面図である。
【図１６】上記サブコネクタのキャビティに端子を中途挿入した状態を示す断面図である。
【図１７】上記サブコネクタの中途挿入状態を示す断面図である。
【図１８】上記雄コネクタと雌コネクタの嵌合前の状態を示す断面図である。
【図１９】上記雄コネクタと雌コネクタの嵌合途中の状態を示す断面図である。
【図２０】上記サブコネクタの半嵌合によりレバーが動かない状態を示す断面図である。
【図２１】上記サブコネクタの嵌合によりレバーが動く状態を示断面図である。
【図２２】従来例のコネクタの側断面図である。
【図２３】従来例の雄端子を収容保持したサブハウジングの側断面図である。
【発明を実施するための形態】
【００１９】
以下、本発明の一実施形態を図面に基づいて説明する。
【００２０】
図１は本発明の一実施形態のコネクタの嵌合前の斜視図、図２はコネクタの雄コネクタの分解斜視図、図３はコネクタの雌コネクタの分解斜視図、図４は雄コネクタのハウジングの斜視図、図５は雄コネクタのレバーの斜視図、図６は雄コネクタのムービングプレートの斜視図、図７（ａ）はレバーを組み付けた雄コネクタの斜視図、図７（ｂ）は雄コネクタの要部の断面図、図８（ａ）はムービングプレートを組み付ける前の雄コネクタの側面図、図８（ｂ）はムービングプレートを組み付けたレバー仮係止位置の雄コネクタの側面図、図９はムービングプレートの移動前の雄コネクタの斜視図、図１０はムービングプレートが移動中の雄コネクタの斜視図、図１１（ａ）はサブコネクタの要部を断面で示す斜視図、図１０（ｂ）はサブコネクタの要部の拡大断面図、図１２（ａ）は同雄コネクタのハウジングの背面図、図１２（ｂ）は同要部の部分斜視図、図１３はサブコネクタのキャビティに端子を収容保持した状態を示す断面図、図１４はハウジングのサブコネクタ収容孔にサブコネクタをロック部で係止した状態を示す断面図、図１５はサブコネクタ収容孔に挿入したサブコネクタをランスで係止した状態を示す断面図、図１６はサブコネクタのキャビティに端子を中途挿入した状態を示す断面図、図１７はサブコネクタの中途挿入状態を示す断面図、図１８は雄コネクタと雌コネクタの嵌合前の状態を示す断面図、図１９は雄コネクタと雌コネクタの嵌合途中の状態を示す断面図、図２０はサブコネクタの半嵌合によりレバーが動かない状態を示す断面図、図２１はサブコネクタの嵌合によりレバーが動く状態を示断面図である。
【００２１】
図１に示すように、レバー式コネクタ（コネクタ）１０は、互いに嵌合・離脱可能な雄雌一対のコネクタ２０，７０からなり、例えば、自動車のフロントドア用コネクタとして使用されるものである。
【００２２】
図２に示すように、雄コネクタ２０は、フード部２１ａを有する雄ハウジング（ハウジング）２１と、この雄ハウジング２１に支軸２１Ａを介して回動自在に支持されたレバー３０と、雄ハウジング２１に装着される雄側のフロントホルダ４０と、フード部２１ａ内にて雄端子６６のタブ部６６ａを位置決めするムービングプレート５０と、雄ハウジング２１に形成されたサブコネクタ収容孔２２に挿入される雄同軸サブコネクタ（サブコネクタ）６０と、を備えている。
【００２３】
また、図３に示すように、雌コネクタ７０は、レバー３０に形成したカム溝３４に係合されるカムフォロア７５が一体突出形成され、雄ハウジング２１のフード部２１ａ内に嵌合・離脱される雌ハウジング（ハウジング）７１と、この雌ハウジング７１の前面側に装着される雌側のフロントホルダ８０と、雌ハウジング７１に形成されたサブコネクタ収容孔７２に挿入される雌同軸サブコネクタ（サブコネクタ）９０と、を備えている。そして、図１９に示すように、レバー３０のカム溝３４に雌ハウジング７１のカムフォロア７５を係合させた状態でレバー３０を往動操作（図１９中実線矢印Ｘで示す）させることにより、雌ハウジング７１がムービングプレート５０と共にフード部２１ａ内の奥側に移動して雄ハウジング２１に嵌合されるようになっている。
【００２４】
図１２、図１８に示すように、雄ハウジング２１は、合成樹脂製であって、その後面の中央からフード部２１ａ側にかけて雄同軸サブコネクタ６０を格納するサブコネクタ収容孔２２を前後方向に貫通するように形成してある。また、図１４に示すように、雄ハウジング２１のサブコネクタ収容孔２２の内壁２２ａには、雄同軸サブコネクタ（雄サブコネクタ）６０に係止される可撓性のロック部（係止突起）２３を一体突出形成してある。さらに、図２０、図２１に示すように、ロック部２３の底面２３ａの自由端側には、レバー３０に係止・離脱自在にされて該レバー３０の往動操作Ｘを抑制する規制部２３ｂを一体突出形成してある。即ち、図２０及び図２１に示すように、ロック部２３は、雄ハウジング２１のサブコネクタ収容孔２２に雄同軸サブコネクタ６０が完全に収容された時にのみ雄同軸サブコネクタ６０を係止し、雄同軸サブコネクタ６０が中途挿入状態や半嵌合状態の場合には、ロック部２３が雄同軸サブコネクタ６０で押され、ロック部２３の規制部２３ｂがレバー３０のアーム部３１の先端部に当たって、レバー３０を動かなくするため、雄同軸サブコネクタ６０を係止できないようになっている。尚、図１４、図２０、図２１に示すように、ロック部２３の規制部２３ｂは、雄ハウジング２１のレバー３０のアーム部３１の先端側を収容するレバー収容溝２１ｅに連通する連通孔２１ｆ内に挿入されている。
【００２５】
また、図１２、図１８に示すように、雄ハウジング２１のサブコネクタ収容孔２２の周りには、電源回路用や信号回路用等の電線６５，６７の端末に接続された雄端子６４，６６を収容する大小の端子収容室２４ａ，２４ｂを前後方向に貫通するように複数個形成してある。
【００２６】
図１、図２、図４、図８に示すように、雄ハウジング２１のフード部２１ａの両側壁の中央には、レバー３０の仮係止用の切欠き状の溝部２５をそれぞれ形成してある。この一対の溝部２５，２５は、ムービングプレート５０のボス５５及び雌ハウジング７１の一方のガイド突起７６の移動時のガイドレールとして機能する。さらに、フード部２１ａの両側壁の各溝部２５を挟む位置には、レバー３０の弾性係止片３５の係止突起３５ａと雌ハウジング７１の他方のガイド突起７７が入り込む凹状と切欠き状の受け溝２６ａ，２６ｂをそれぞれ形成してある。尚、図８（ｂ）に示すレバー３０の仮係止時には、レバー３０の弾性係止片３５の係止突起３５ａがフード部２１ａの溝部２５の溝面に係止されるようになっている。
【００２７】
また、雄ハウジング２１の後端の外周には、環板状のフランジ部（鍔部）２７を一体突出形成してある。この環状のフランジ部２７には、図示しないゴム製のグロメットの前側の環状シール部の凹溝が嵌め込まれるようになっている。さらに、雄ハウジング２１の後端の外周には上下各一対の係止突起２８，２８を一体突出形成してある。そして、雄ハウジング２１が図示しない自動車のパネルの取付孔にドア側から貫通すると、パネルの取付孔の周囲のボディ側の面に雄ハウジング２１の各一対の係止突起２８，２８の先端が係止されることで、レバー式コネクタ１０がパネルの取付孔にグロメットの前側の環状シール部を介してシールされた状態で取り付けられるようになっている。
【００２８】
さらに、図４及び図１９に示すように、雄ハウジング２１のフランジ部２７の上側中央には、係止突起２９ａを突設した弾性係止片２９を一体突出形成してある。この係止突起２９ａは、レバー３０の突出片３７に形成された係止孔３８に係止・離脱自在になっている。
【００２９】
図１、図２及び図５、図７（ａ），（ｂ）に示すように、レバー３０は、一対のアーム部３１，３１と、この一対のアーム部３１，３１を連結する操作部３２とを合成樹脂により一体に形成してある。各アーム部３１には、雄ハウジング２１のフード部２１ａの両側部に一体突出形成した各支軸２１Ａを回動自在に支持する軸受け孔３３を形成してある。さらに、各アーム部３１には、雌ハウジング７１に形成されたカムフォロア７５に係合されるカム溝３４を形成してある。そして、図１９に示すように、レバー３０の操作部３２の往動操作（図１９中実線矢印Ｘで示す）によってカム溝３４とカムフォロア７５を介して雄、雌ハウジング２１，７１が低挿入力で嵌合され、また、レバー３０の操作部３２の復動操作（図１９中点線矢印Ｙで示す）によってカム溝３４とカムフォロア７５を介して雄、雌ハウジング２１，７１が低挿入力で離脱されるようになっている。
【００３０】
また、各アーム部３１には、係止突起３５ａを突設した弾性係止片３５を切り欠き形成してある。この弾性係止片３５の係止突起３５ａが雄ハウジング２１のフード部２１ａの側壁に形成された切欠き状の溝部２５の溝面に弾性的に係止されることにより、レバー３０が図８（ｂ）に示す仮係止位置に保持されるようになっている。さらに、弾性係止片３５の係止突起３５ａが雄ハウジング２１のフード部２１ａの側壁に形成された凹状の受け溝２６ａの溝面に弾性的に係止されることにより、レバー３０が回動規制位置に保持されるようになっている。
【００３１】
また、図１、図２及び図５、図７に示すように、レバー３０の各アーム部３１には、図８（ｂ）に示すレバー３０の仮係止位置にてムービングプレート５０に形成したボス５５が挿入されて、レバー３０の往動操作Ｘにより雌ハウジング７１と共にムービングプレート５０をフード部２１ａ内の奥側に移動させるスリット３６を形成してある。さらに、図５及び図１９に示すように、レバー３０の操作部３２の中央には、突出片３７を一体突出形成してある。この突出片３７には、雄ハウジング２１の弾性係止片２９の係止突起２９ａを係止させる係止孔３８を形成してある。
【００３２】
図２、図７（ｂ）、図１８に示すように、雄側のフロントホルダ４０は、合成樹脂製であり、平板部４１と周壁部４２とで矩形の箱状に形成してある。この周壁部４２が雄ハウジング２１のサブコネクタ収容孔２２と各端子収容室２４ａ，２４ｂの周囲に形成された矩形状の凹溝部２１ｂ内に嵌め込まれて保持されるようになっている。フロントホルダ４０の平板部４１の中央には、雄同軸サブコネクタ６０を収容して保持するサブコネクタ収容孔４３を形成してある。また、平板部４１のサブコネクタ収容孔４３の周りの雄ハウジング２１の複数の端子収容室２４ｂに対応する位置には、複数の端子収容孔４４を形成してある。これにより、フロントホルダ４０では、複数の端子収容孔４４に電線６７の端末に接続される雄端子６６も収容されて保持されるようになっている。尚、周壁部４２の一方の側部には、雄ハウジング２１のフード部２１ａの肉厚のリブ２１ｃに挿入される凹部４５を形成してあり、また、周壁部４２の他方の側部には、雄ハウジング２１のフード部２１ａの薄厚のリブ２１ｄに挿入されるスリット４６を形成してある。
【００３３】
図１８及び図１９に示すように、ムービングプレート５０は、雄ハウジング２１のフード部２１ａの開口側に位置する初期位置と、フード部２１ａの奥側に位置する嵌合位置との間を前後方向に移動可能とされている。また、図２及び図６に示すように、ムービングプレート５０は、合成樹脂製であって、矩形平板状のプレート本体５１とプレート本体５１の両側端より前方へ突出した両側壁部５２，５２とでコ字状に一体形成されている。プレート本体５１には、中央にサブコネクタ収容孔５３を形成してあると共に、その周りには複数の位置決め孔５４を整列させて形成してある。このムービングプレート５０の位置決め孔５４内に雄端子６６のタブ部６６ａの先端部が位置決め状態で挿入されることにより、タブ部６６ａの軸心がぶれるのを防止するようになっている。また、側壁部５２の上前側には、レバー３０のスリット３６に差し込まれるボス５５を一体突出形成してある。尚、側壁部５２の一方には、雄ハウジング２１のフード部２１ａの肉厚のリブ２１ｃに挿入される幅広のスリット５６を形成してあり、また、側壁部５２の他方には、雄ハウジング２１のフード部２１ａの薄厚のリブ２１ｄに挿入される幅狭のスリット５７を形成してある。
【００３４】
図１１、図１３、図１５に示すように、雄同軸サブコネクタ（サブコネクタ）６０は、合成樹脂により前後方向に長い略ブロック状に形成してあり、雄ハウジング２１のサブコネクタ収容孔２２内に後方から挿入されて収容される。雄同軸サブコネクタ６０の中央には、同軸線（同軸ケーブル）６９の端末に接続された雄形の同軸端子６８を収容するキャビティ６１を形成してある。このキャビティ６１の内壁６１ａには、同軸端子６８に係止される可撓性のランス６２を切り欠き形成してあり、図１６及び図１７に示すように、同軸端子６８のキャビティへ６１の中途挿入の場合に、ランス６２が雄同軸サブコネクタ６０の外側に突出して雄ハウジング２１のサブコネクタ収容孔２２の開口外角縁２２ｂに突き当たるようになっている。即ち、同軸端子６８のキャビティ６１への挿入完了時に、ランス６２の下面６２ａをサブコネクタ収容孔２２の内壁２２ａの面と同一面上に設定し、同軸端子６８のキャビティ６１への中途挿入の場合に、ランス６２の下面６２ａを雄同軸サブコネクタ６０の外周面６０ａから外側へ突出させるようにしてある。さらに、図１５に示すように、雄同軸サブコネクタ６０の長さＬ１は、雄形の同軸端子６８の長さＬ２より長く設定されている（Ｌ１＞Ｌ２）。
【００３５】
図３に示すように、雌ハウジング７１は、合成樹脂により矩形箱形に形成してあり、その略中央には、雌同軸サブコネクタ９０を収容するサブコネクタ収容孔７２を前後方向に貫通するように形成してある。また、雌ハウジング７１のサブコネクタ収容孔７２の周りには、電源回路用や信号回路用等の電線９５，９７の端末に接続された雌端子９４，９６を収容する大小の端子収容室７４ａ，７４ｂを前後方向に貫通するように複数形成してある。さらに、雌ハウジング７１の両側面の略中央には、レバー３０のカム溝３４に係合されるピン状のカムフォロア７５を一体突出形成してある。さらに、雌ハウジング７１の両側面のカムフォロア７５を挟む位置には、雄ハウジング２１のフード部２１ａの切欠き状の溝部２５と切欠き状の受け溝２６ｂにそれぞれ入り込む各一対のガイド突起７６，７７を一体突出形成してある。
【００３６】
図３に示すように、雌側のフロントホルダ８０は、合成樹脂製であり、平板部８１と周壁部８２とで矩形の略箱状に形成してある。この周壁部８２が雌ハウジング７１の前面と外周面に形成された凹部７４に嵌め込まれて保持されるようになっている。フロントホルダ８０の平板部８１の中央には、雌同軸サブコネクタ９０を収容して保持するサブコネクタ収容孔８３を形成してある。また、平板部８１のサブコネクタ収容孔８３の周りの雌ハウジング７１の複数の端子収容室７４ｂに対応する位置には、複数の端子収容孔８４を形成してある。これにより、フロントホルダ８０では、複数の端子収容孔８４に電線９７の端末に接続される雌端子９６も収容されて保持されるようになっている。
【００３７】
図１１、図１３に示すように、雌同軸サブコネクタ（サブコネクタ）９０は、合成樹脂により前後方向に長い略ブロック状に形成してあり、雌ハウジング７１のサブコネクタ収容孔７２内に後方から挿入されて収容される。雌同軸サブコネクタ９０の中央には、同軸線（同軸ケーブル）９９の端末に接続された雌形の同軸端子９８を収容するキャビティ９１を形成してある。このキャビティ９１の内壁９１ａには同軸端子９８に係止される可撓性のランス９２を切り欠き形成してあり、図１６に示すように、同軸端子９８のキャビティへ９１の中途挿入の場合に、ランス９２が雌同軸サブコネクタ９０の外側に突出して雌ハウジング７１のサブコネクタ収容孔７２の開口外角縁７２ｂに突き当たるようになっている。即ち、同軸端子９８のキャビティ９１への挿入完了時に、ランス９２の下面９２ａをサブコネクタ収容孔７２の内壁７２ａの面と同一面上に設定し、同軸端子９８のキャビティ９１への中途挿入の場合に、ランス９２の下面９２ａを雌同軸サブコネクタ９０の外周面９０ａから外側へ突出させるようにしてある。
【００３８】
以上実施形態のレバー式コネクタ１０によれば、図１３に示すように、雄、雌同軸サブコネクタ６０，９０のキャビティ６１，９１の内壁６１ａ，９１ａに雄、雌形の同軸端子６８，９８に係止される可撓性のランス６２，９２を切り欠き形成したことにより、同軸端子６８，９８が挿入された状態で雄、雌同軸サブコネクタ６０，９０を雄、雌ハウジング２１，７１のサブコネクタ収容孔２２，７２に組み付けた場合、図１５に示すように、雄、雌同軸サブコネクタ６０，９０の可撓性のランス６２，９２の真下に雄、雌ハウジング２１，７１のサブコネクタ収容孔２２，７２の内壁２２ａ，７２ａがあるため、ランス６２，９２が下方へ変位することを防止することで、同軸端子６８，９８の二重係止（ランス６２，９２とサブコネクタ収容孔２２，７２の内壁２２ａ，７２ａでランス６２，９２を押すことによる二重係止）を行うことができる。
【００３９】
また、図１６に示すように、同軸端子６８，９８がキャビティ６１，９１に中途挿入状態の場合、ランス６２，９２は撓んだままとなり、ランス６２，９２の下面６２ａ，９２ａは雄、雌同軸サブコネクタ６０，９０の外側から突出する。この同軸端子６８，９８が中途挿入状態のまま雄、雌同軸サブコネクタ６０，９０を雄、雌ハウジング２１，７２のサブコネクタ収容孔２２，７２に挿入しようとすると、図１７に示すように、雄、雌同軸サブコネクタ６０，９０の外周面６０ａ，９０ａから突出しているランス６２，９２と雄、雌ハウジング２１，７１のサブコネクタ収容孔２２，７２の開口外角縁２２ｂ，７２ｂが突き当たることで、同軸端子６８，９８の中途挿入を検知することができる。
【００４０】
このように、雄、雌形の同軸端子６８，９８の雄、雌同軸サブコネクタ６０，９０のキャビティ６１，９１への挿入完了時に、ランス６２，９２の下面６２ａ，９２ａをサブコネクタ収容孔２２，７２の内壁２２ａ，７２ａの面と同一面上に設定し、同軸端子６８，９８のキャビティ６１，９１への中途挿入の場合に、ランス６２，９２の下面６２ａ，９２ａを雄、雌同軸サブコネクタ６０，９０の外周面６０ａ，９０ａから外側へ突出させるようにしたことにより、雄、雌ハウジング２１，７１によって雄、雌同軸サブコネクタ６０，９０に組み付けられる同軸端子６８，９８の二重係止を簡単かつ確実に行うことができると共に、同軸端子６８，９８の中途挿入を簡単かつ確実に検知することができる。これにより、従来のリテーナのような端子を二重係止する別部品が不要となるため、その分部品点数を減らして低コスト化を図ることができる。
【００４１】
また、このレバー式コネクタ１０によれば、フード部２１ａを有する雄ハウジング２１と、雄ハウジング２１に支軸２１Ａを介して回動自在に支持されたレバー３０と、フード部２１ａ内にて雄端子６６のタブ部６６ａを位置決めするムービングプレート５０と、フード部２１ａ内に嵌合・離脱される雌ハウジング７１を備え、レバー３０に形成したカム溝３４に雌ハウジング７１に形成したカムフォロア７５を係合させた状態でレバー３０を往動操作（図１９中実線矢印Ｘで示す）させ、雌ハウジング７１をムービングプレート５０と共にフード部２１ａ内の奥側に移動させて雄ハウジング２１に嵌合自在にし、フード部２１ａにレバー３０の仮係止用の溝部２５を形成し、この溝部２５をムービングプレート５０の移動時のガイドレールとしたことにより、図８（ａ）及び図９に示すように、ムービングプレート５０を雄ハウジング２１のフード部２１ａ内に組み付ける際に、レバー３０の仮係止に用いる溝部２５にムービングプレート５０のボス５５を沿わせて組み付けることができる。また、図８（ｂ）及び図１０に示すように、レバー３０の往動操作Ｘによりムービングプレート５０を雄ハウジング２１のフード部２１ａ内に移動させる際に、レバー３０の仮係止に用いる溝部２５をムービングプレート５０のボス５５のガイドレールとして利用することができる。
【００４２】
このように、レバー３０の仮係止に用いる溝部２５をムービングプレート５０の装着時及びレバー３０の操作時におけるムービングプレート５０のガイドレールとして利用することで、レバー式コネクタ１０の小型化とムービングプレート５０の組み付け性及びレバー３０によるムービングプレート５０の操作性を向上させることができる。
【００４３】
また、図１５、図１８に示すように、雄同軸サブコネクタ６０の長さＬ１を雄形の同軸端子６８の長さＬ２より長く設定したことにより、雄ハウジング２１のフード部２１ａ内に雌ハウジング７１が斜めやこじりを発生させる方向に入ったとしても、同軸端子６８よりも先に雄同軸サブコネクタ６０の円筒部６０ｂの先端が雌同軸サブコネクタ９０の円筒部９０ｂの先端に達し、図１９に示すように、雄同軸サブコネクタ６０の円筒部６０ｂ内に雌同軸サブコネクタ９０の円筒部９０ｂが嵌め込まれるため、こじりの発生を抑制することができる。さらに、雄同軸サブコネクタ６０の長さを長く変更したことにより、雄、雌ハウジング２１，７１の嵌合の際に雄同軸サブコネクタ６０が雌ハウジング７１のガイドとなり、こじりの発生を抑制する効果もある。このように、雄同軸サブコネクタ６０の先端の長さを伸ばして調整することにより、こじり抑止機能とガイド機構をもたせることできる。部品点数は変わらない為、コストの削減が可能となる。
【００４４】
さらに、図２０、図２１に示すように、雄ハウジング２１のサブコネクタ収容孔２２の内壁２２ａに雄サブコネクタ６０に係止される可撓性のロック部２３を一体突出形成し、ロック部２３の底面２３ａの自由端側にレバー３０に係止・離脱自在にされてレバー３０の往動操作Ｘを抑制する規制部２３ｂを一体突出形成したことにより、雄ハウジング２１のサブコネクタ収容孔２２に雄同軸サブコネクタ６０が中途挿入状態の場合に、ロック部２３が雄同軸サブコネクタ６０で押されてロック部２３の規制部２３ｂがレバー３０のアーム部３１の先端部に当たり、レバー３０の動きを抑制することができる。これにより、部品を追加することなく、雄同軸サブコネクタ６０の半嵌合状態とコネクタ誤嵌合を簡単かつ確実に検知することができる。
【００４５】
尚、前記実施形態によれば、コネクタをレバー式としたが、レバー式でないコネクタに前記実施形態を適用できることは勿論である。
【符号の説明】
【００４６】
１０  レバー式コネクタ（コネクタ）
２１  雄ハウジング（ハウジング）
２１ａ  フード部
２１Ａ  支軸
２２  サブコネクタ収容孔
２２ａ  内壁
２２ｂ  開口外角縁
２３  ロック部
２３ｂ  規制部
２５  レバー仮係止要の溝部
３０  レバー
３４  カム溝
５０  ムービングプレート
６０  雄同軸サブコネクタ（サブコネクタ）
６０ａ  外周面
６１  キャビティ
６１ａ  内壁
６２  ランス
６２ａ  下面
７１  雌ハウジング（ハウジング）
７２  サブコネクタ収容孔
７２ａ  内壁
７２ｂ  開口外角縁
７５  カムフォロア
６６  雄端子
６６ａ  タブ部
６８  同軸端子（端子）
６９  同軸線（電線）
９０  雌同軸サブコネクタ（サブコネクタ）
９０ａ  外周面
９１  キャビティ
９１ａ  内壁
９２  ランス
９２ａ  下面
９９  同軸線（電線）
Ｘ  往動操作
【図１】
2018067379.tif 000003
【図２】
2018067379.tif 000004
【図３】
2018067379.tif 000005
【図４】
2018067379.tif 000006
【図５】
2018067379.tif 000007
【図６】
2018067379.tif 000008
【図７】
2018067379.tif 000009
【図８】
2018067379.tif 000010
【図９】
2018067379.tif 000011
【図１０】
2018067379.tif 000012
【図１１】
2018067379.tif 000013
【図１２】
2018067379.tif 000014
【図１３】
2018067379.tif 000015
【図１４】
2018067379.tif 000016
【図１５】
2018067379.tif 000017
【図１６】
2018067379.tif 000018
【図１７】
2018067379.tif 000019
【図１８】
2018067379.tif 000020
【図１９】
2018067379.tif 000021
【図２０】
2018067379.tif 000022
【図２１】
2018067379.tif 000023
【図２２】
2018067379.tif 000024
【図２３】
2018067379.tif 000025